(57)【要約】【課題】従来の年間万年カレンダーとは違った形状と構造で構成する新しい方法の年間万年カレンダーを提供することを目的としている。【解決手段】カレンダーの構成要素である差し入れ枠付基盤とカレンダー名、和暦名の文字、年の文字、白地、数字、１月から１２月までの月間カレンダーを表示したシートを単数枚または複数枚作成し、表示する年に対応したシートを一番手前にし、差し入れ枠に入れて掲示する方法による年間万年カレンダーである。【選択図】図１
2018045216.tif 000002
【特許請求の範囲】
【請求項１】
差し入れ枠付基盤、１月から１２月までの月間カレンダー表示シートからなり、差し入れ枠付基盤はカレンダーに必要な構成要素を差し入れることができる枠が設置されており、１月から１２月までの月間カレンダー表示シートは各月に各７枚、２月のみ閏年と平年用に各７枚からなり、各７枚のうち１枚目は月の１日が日曜、２枚目は月の１日が月曜、３枚目は月の１日が火曜、４枚目は月の１日が水曜、５枚目は月の１日が木曜、６枚目は月の１日が金曜、７枚目は月の１日が土曜から始まる表示シートになっており、表示する年に対応した月間カレンダー表示シートを一番手前にし、差し入れ枠に入れて掲示する方法を特徴とする年間万年カレンダーである。
【発明の詳細な説明】
【技術分野】
【０００１】  本発明は、カレンダーに必要な構成要素である月、日、曜日などを表示した１月から１２月までの月間カレンダー表示シート等を掲示する方法による年間万年カレンダーに関する。
【背景技術】
【０００２】  従来の、年間の万年カレンダーに関するものは、次に列挙するような形状や構造で構成されている。
（１）３６６個の立方体の日付駒を月別にかつ日付順に仕分けた１２本の日駒柱を、１月から１２月まで表示した水平な月棒に月順に吊るし、その月棒に取り付けた曜日表示の曜日棒一本または二本を基準に各日駒の曜日調整し、さらにこの月棒中央上面に年駒を配置し、年数を表示し、前記日駒の平行四面の三面を日曜の赤、土曜の青、他の曜日の黒で色分けし、残り一面に個人の特異日を表示でき、一年３６５日を表示する永久に使える組み立て万年カレンダーであり、また水平の曜日棒の下に縦に四個日ないし五個日の曜日駒柱四個と三個または八個と六個を吊るし、その曜日棒の上に年駒と月駒を配置した一月（ひとつき）および二月（ふたつき）万年カレンダー。（例えば、特許文献１参照）【０００３】（２）一方向に隣接して配置された７年分の年暦からなる暦本体と、年号が表示される年号フィールドから構成される年蘭とからなり、各年暦が、いずれも１２ヶ月分の月暦が前記一方向に直交する他方向に隣接して配置されたものであり、前記７年分の年暦における任意の月の７つの月暦において、各月暦の初日の曜日がいずれも異なり、前記年号フィールドに、前記各年暦に対応する年号が表示されている。このため、触れることなく見るだけで、過去や未来の暦がわかり、紙を無駄に消費せず、この結果、森林の保護になる。（例えば、特許文献２参照）【０００４】  しかしながら、上記のように構成された従来の年間万年カレンダーは、仕組みが複雑で煩雑な操作をしなければ内容の変更ができないという不便なことや数年分だけの年暦が一覧に表示されており、それを継続して再利用できないという欠点があった。
【先行技術文献】
【特許文献】
【０００５】
【特許文献１】  特開２０１５−７４１７０号公報
【０００６】
【特許文献２】  特開２０００−５６６８２号公報
【発明の概要】
【発明が解決しようとしている課題】
【０００７】  本発明は以上のような従来の欠点に鑑み、従来の年間万年カレンダーとは違った形状と構造で構成する新しい方法の年間万年カレンダーを提供することを目的としている。
【課題を解決するための手段】
【０００８】  上記の目的を達成するため、本発明は、カレンダーの構成要素である差し入れ枠付基盤とカレンダー名、和暦名の文字、年の文字、白地、数字、１月から１２月までの月間カレンダーを表示したシートを単数枚または複数枚作成し、表示する年に対応した表示シートを一番手前にし、差し入れ枠に入れて掲示する方法による年間万年カレンダーである。
【発明の効果】
【０００９】  以上の説明から明らかなように、本発明にあっては、次の効果が得られる。
（１）本発明は、表示する年に対応した各々の表示シートを一番手前にして掲示することにより簡単に年間カレンダーの変更ができるので便利である。
【００１０】（２）本発明は、一般的な年間のカレンダーの形状と同様なので、利用者がどこに設置しても違和感なく安心して利用できる。
【図面の簡単な説明】
【００１１】
【図１】本発明の２０１６年、平成２８年の年間カレンダーの図である。
【図２】本発明の差し入れ枠付基盤の図である。
【図３】本発明のカレンダー名表示シート、和暦名表示シート、年表示シート、白地シート、数字表示シートの図である。
【図４】本発明の１月の月間カレンダー表示シートと閏年の２月の月間カレンダー表示シートの図である。
【図５】本発明の平年の２月の月間カレンダー表示シートと３月の月間カレンダー表示シートの図である。
【図６】本発明の４月と５月の月間カレンダー表示シートの図である。
【図７】本発明の６月と７月の月間カレンダー表示シートの図である。
【図８】本発明の８月と９月の月間カレンダー表示シートの図である。
【図９】本発明の１０月と１１月の月間カレンダー表示シートの図である。
【図１０】本発明の１２月の月間カレンダー表示シートの図である。
【発明を実施するための形態】
【００１２】以下、本発明の実施形態を図に基づいて説明する。
【実施例】
【００１３】図１は、本発明の２０１６年、平成２８年の年間カレンダーの図である。
図１の本発明の実施の形態にする方法は、次の通り第１から第２６の手順による。
第１は符号１を用意する。
第２は符号１７を符号２に差し入れる。
第３は符号２２、２５，３２，３９，４６，５３，６０，６７，７４，８１，８８のシートを選択し、符号２２を一番手前にして、符号３の左端枠に差し入れる。
第４は符号２６、３３、４０、４７、５４、６１、６８、７５、８２、８９のシートを選択し、符号３３を一番手前にして、符号３の左端枠から二番目の枠に差し入れる。
第５は符号２７、３４、４１、４８、５５、６２、６９、７６、８３、９０のシートを選択し、符号９０を一番手前にして、符号３の左端枠から三番目の枠に差し入れる。
第６は符号２８、３５、４２、４９、５６、６３、７０、７７、８４、９１のシートを選択し、符号２８を一番手前にして、符号３の左端枠から四番目の枠に差し入れる。
第７は符号２９、３６、４３、５０、５７、６４、７１、７８、８５、９２のシートを選択し、符号６４を一番手前にして、符号３の左端枠から五番目の枠に差し入れる。
第８は符号２０のシートを符号３の左端枠から六番目の枠に差し入れる。
第９は符号１８のシートを符号４の左端枠に差し入れる。
第１０は符号１９のシートを符号４の左端枠から二番目に差し入れる。
第１１は符号２３のシートを符号４の左端枠から三番目に差し入れる。
第１２は符号２４、３０、３７、４４、５１、５８、６５、７２、７９、８６、９３のシートを選択し、符号３７を一番手前にして、符号４の左端枠から四番目の枠に差し入れる。
第１３は符号３１、３８、４５、５２、５９、６６、７３、８０、８７、９４のシートを選択し、符号８０を一番手前にして、符号３の左端枠から五番目の枠に差し入れる。
第１４は符号２１のシートを符号４の左端枠から六番目の枠に差し入れる。
第１５は符号９５、９６、９７、９８、９９、１００、１０１のシートを選択し、符号１００を一番手前にして、符号５に差し入れる。
第１６は符号１０２、１０３、１０４、１０５、１０６、１０７、１０８、１０９、１１０、１１１、１１２、１１３、１１４、１１５のシートを選択し、符号１０３を一番手前にして、符号６に差し入れる。
第１７は符号１１６、１１７、１１８、１１９、１２０、１２１、１２２のシートを選択し、符号１１８を一番手前にして、符号７に差し入れる。
第１８は符号１２３、１２４、１２５、１２６、１２７、１２８、１２９のシートを選択し、符号１２８を一番手前にして、符号８に差し入れる。
第１９は符号１３０、１３１、１３２、１３３、１３４、１３５，１３６のシートを選択し、符号１３３を一番手前にして、符号９に差し入れる。
第２０は符号１３７、１３８、１３９、１４０、１４１、１４２、１４３のシートを選択し、符号１４０を一番手前にして、符号１０に差し入れる。
第２１は符号１４４、１４５，１４６，１４７，１４８，１４９，１５０のシートを選択し、符号１４９を一番手前にして、符号１１に差し入れる。
第２２は符号１５１、１５２、１５３、１５４、１５５、１５６、１５７のシートを選択し、符号１５２を一番手前にして、符号１２に差し入れる。
第２３は符号１５８、１５９、１６０、１６１、１６２、１６３、１６４のシートを選択し、符号１６２を一番手前にして、符号１３に差し入れる。
第２４は符号１６５、１６６、１６７、１６８、１６９、１７０、１７１のシートを選択し、符号１７１を一番手前にして、符号１４に差し入れる。
第２５は符号１７２、１７３、１７４、１７５、１７６、１７７、１７８のシートを選択し、符号１７４を一番手前にして、符号１５に差し入れる。
第２６は符号１７９、１８０、１８１、１８２、１８３、１８４、１８５のシートを選択し、符号１８３を一番手前にして、符号１６に差し入れる。
【産業上の利用可能性】
【００１４】本発明は、年間の万年カレンダーに関する製造、加工、販売をする産業で利用される。
【符号の説明】
【００１５】  １          差し入れ枠付基盤
２          カレンダー名表示シートを差し入れる枠
３・４      和暦名の文字表示シート、年の文字表示シート、白地シート、数字の１か              ら９および０表示シートを差し入れる枠
５〜１６    １月から１２月の月間カレンダー表示シートを差し入れる枠
１７        カレンダー名表示シート
１８・１９  和暦名の文字表示シート
２０・２１  年の文字表示シート
２２〜２４  白地シート
２５〜３１  数字の１表示シート
３２〜３８  数字の２表示シート
３９〜４５  数字の３表示シート
４６〜５２  数字の４表示シート
５３〜５９  数字の５表示シート
６０〜６６  数字の６表示シート
６７〜７３  数字の７表示シート
７４〜８０  数字の８表示シート
８１〜８７  数字の９表示シート
８８〜９４  数字の０表示シート
９５        月の１日が日曜から始まる１月の月間カレンダー表示シート
９６        月の１日が月曜から始まる１月の月間カレンダー表示シート
９７        月の１日が火曜から始まる１月の月間カレンダー表示シート
９８        月の１日が水曜から始まる１月の月間カレンダー表示シート
９９        月の１日が木曜から始まる１月の月間カレンダー表示シート
１００        月の１日が金曜から始まる１月の月間カレンダー表示シート
１０１        月の１日が土曜から始まる１月の月間カレンダー表示シート
１０２        月の１日が日曜から始まる閏年の２月の月間カレンダー表示シート
１０３        月の１日が月曜から始まる閏年の２月の月間カレンダー表示シート
１０４        月の１日が火曜から始まる閏年の２月の月間カレンダー表示シート
１０５        月の１日が水曜から始まる閏年の２月の月間カレンダー表示シート
１０６        月の１日が木曜から始まる閏年の２月の月間カレンダー表示シート
１０７        月の１日が金曜から始まる閏年の２月の月間カレンダー表示シート
１０８        月の１日が土曜から始まる閏年の２月の月間カレンダー表示シート
１０９        月の１日が日曜から始まる平年の２月の月間カレンダー表示シート
１１０        月の１日が月曜から始まる平年の２月の月間カレンダー表示シート
１１１        月の１日が火曜から始まる平年の２月の月間カレンダー表示シート
１１２        月の１日が水曜から始まる平年の２月の月間カレンダー表示シート
１１３        月の１日が木曜から始まる平年の２月の月間カレンダー表示シート
１１４        月の１日が金曜から始まる平年の２月の月間カレンダー表示シート
１１５        月の１日が土曜から始まる平年の２月の月間カレンダー表示シート
１１６        月の１日が日曜から始まる３月の月間カレンダー表示シート
１１７        月の１日が月曜から始まる３月の月間カレンダー表示シート
１１８        月の１日が火曜から始まる３月の月間カレンダー表示シート
１１９        月の１日が水曜から始まる３月の月間カレンダー表示シート
１２０        月の１日が木曜から始まる３月の月間カレンダー表示シート
１２１        月の１日が金曜から始まる３月の月間カレンダー表示シート
１２２        月の１日が土曜から始まる３月の月間カレンダー表示シート
１２３        月の１日が日曜から始まる４月の月間カレンダー表示シート
１２４        月の１日が月曜から始まる４月の月間カレンダー表示シート
１２５        月の１日が火曜から始まる４月の月間カレンダー表示シート
１２６        月の１日が水曜から始まる４月の月間カレンダー表示シート
１２７        月の１日が木曜から始まる４月の月間カレンダー表示シート
１２８        月の１日が金曜から始まる４月の月間カレンダー表示シート
１２９        月の１日が土曜から始まる４月の月間カレンダー表示シート
１３０        月の１日が日曜から始まる５月の月間カレンダー表示シート
１３１        月の１日が月曜から始まる５月の月間カレンダー表示シート
１３２        月の１日が火曜から始まる５月の月間カレンダー表示シート
１３３        月の１日が水曜から始まる５月の月間カレンダー表示シート
１３４        月の１日が木曜から始まる５月の月間カレンダー表示シート
１３５        月の１日が金曜から始まる５月の月間カレンダー表示シート
１３６        月の１日が土曜から始まる５月の月間カレンダー表示シート
１３７        月の１日が日曜から始まる６月の月間カレンダー表示シート
１３８        月の１日が月曜から始まる６月の月間カレンダー表示シート
１３９        月の１日が火曜から始まる６月の月間カレンダー表示シート
１４０        月の１日が水曜から始まる６月の月間カレンダー表示シート
１４１        月の１日が木曜から始まる６月の月間カレンダー表示シート
１４２        月の１日が金曜から始まる６月の月間カレンダー表示シート
１４３        月の１日が土曜から始まる６月の月間カレンダー表示シート
１４４        月の１日が日曜から始まる７月の月間カレンダー表示シート
１４５        月の１日が月曜から始まる７月の月間カレンダー表示シート
１４６        月の１日が火曜から始まる７月の月間カレンダー表示シート
１４７        月の１日が水曜から始まる７月の月間カレンダー表示シート
１４８        月の１日が木曜から始まる７月の月間カレンダー表示シート
１４９        月の１日が金曜から始まる７月の月間カレンダー表示シート
１５０        月の１日が土曜から始まる７月の月間カレンダー表示シート
１５１        月の１日が日曜から始まる８月の月間カレンダー表示シート
１５２        月の１日が月曜から始まる８月の月間カレンダー表示シート
１５３        月の１日が火曜から始まる８月の月間カレンダー表示シート
１５４        月の１日が水曜から始まる８月の月間カレンダー表示シート
１５５        月の１日が木曜から始まる８月の月間カレンダー表示シート
１５６        月の１日が金曜から始まる８月の月間カレンダー表示シート
１５７        月の１日が土曜から始まる８月の月間カレンダー表示シート
１５８        月の１日が日曜から始まる９月の月間カレンダー表示シート
１５９        月の１日が月曜から始まる９月の月間カレンダー表示シート
１６０        月の１日が火曜から始まる９月の月間カレンダー表示シート
１６１        月の１日が水曜から始まる９月の月間カレンダー表示シート
１６２        月の１日が木曜から始まる９月の月間カレンダー表示シート
１６３        月の１日が金曜から始まる９月の月間カレンダー表示シート
１６４        月の１日が土曜から始まる９月の月間カレンダー表示シート
１６５        月の１日が日曜から始まる１０月の月間カレンダー表示シート
１６６        月の１日が月曜から始まる１０月の月間カレンダー表示シート
１６７        月の１日が火曜から始まる１０月の月間カレンダー表示シート
１６８        月の１日が水曜から始まる１０月の月間カレンダー表示シート
１６９        月の１日が木曜から始まる１０月の月間カレンダー表示シート
１７０        月の１日が金曜から始まる１０月の月間カレンダー表示シート
１７１        月の１日が土曜から始まる１０月の月間カレンダー表示シート
１７２        月の１日が日曜から始まる１１月の月間カレンダー表示シート
１７３        月の１日が月曜から始まる１１月の月間カレンダー表示シート
１７４        月の１日が火曜から始まる１１月の月間カレンダー表示シート
１７５        月の１日が水曜から始まる１１月の月間カレンダー表示シート
１７６        月の１日が木曜から始まる１１月の月間カレンダー表示シート
１７７        月の１日が金曜から始まる１１月の月間カレンダー表示シート
１７８        月の１日が土曜から始まる１１月の月間カレンダー表示シート
１７９        月の１日が日曜から始まる１２月の月間カレンダー表示シート
１８０        月の１日が月曜から始まる１２月の月間カレンダー表示シート
１８１        月の１日が火曜から始まる１２月の月間カレンダー表示シート
１８２        月の１日が水曜から始まる１２月の月間カレンダー表示シート
１８３        月の１日が木曜から始まる１２月の月間カレンダー表示シート
１８４        月の１日が金曜から始まる１２月の月間カレンダー表示シート
１８５        月の１日が土曜から始まる１２月の月間カレンダー表示シート
【図１】
2018045216.tif 000003
【図２】
2018045216.tif 000004
【図３】
2018045216.tif 000005
【図４】
2018045216.tif 000006
【図５】
2018045216.tif 000007
【図６】
2018045216.tif 000008
【図７】
2018045216.tif 000009
【図８】
2018045216.tif 000010
【図９】
2018045216.tif 000011
【図１０】
2018045216.tif 000012
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
基盤、１月から１２月までの月間カレンダー表示シートからなり、基盤にはその表面にコの字型の部材からなるコの字型の枠があり、枠の向きは開いている方を上側にしており、枠の個数は月間カレンダー表示シート用にタテ３列とヨコ４列で１２個あり、タテ列の枠は上段枠の底面と下段枠の両側面上端との間隔が月間カレンダー表示シートの縦の長さを超えた適宜の等間隔であるとともに、ヨコ列の枠は左枠の右側面と右枠の左側面とが接触しない適宜の等間隔で設置されており、１月から１２月までの月間カレンダー表示シートは各月に各７枚、２月のみ閏年と平年用に各７枚からなり、各７枚のうち１枚目は月の１日が日曜、２枚目は月の１日が月曜、３枚目は月の１日が火曜、４枚目は月の１日が水曜、５枚目は月の１日が木曜、６枚目は月の１日が金曜、７枚目は月の１日が土曜から始まる表示シートになっており、コの字型の枠の開いている方から月間カレンダー表示シートを出し入れして表示する年に対応した月間カレンダー表示シートを一番手前にし、年間カレンダーとして掲示できる構造で構成していることを特徴とする年間万年カレンダーである。
【手続補正２】
【補正対象書類名】明細書
【補正対象項目名】全文
【補正方法】変更
【補正の内容】
【発明の詳細な説明】
【技術分野】
【０００１】              本発明は、カレンダーに必要な構成要素である月、日、曜日などを表示した１月から１２月までの月間カレンダー表示シート等を掲示できる年間万年カレンダーに関する。
【背景技術】
【０００２】              従来の、年間万年カレンダーに関するものは、次に列挙するような形状や構造で構成されている。
（１）３６６個の立方体の日付駒を月別にかつ日付順に仕分けた１２本の日駒柱を、１月から１２月まで表示した水平な月棒に月順に吊るし、その月棒に取り付けた曜日表示の曜日棒一本または二本を基準に各日駒の曜日調整し、さらにこの月棒中央上面に年駒を配置し、年数を表示し、前記日駒の平行四面の三面を日曜の赤、土曜の青、他の曜日の黒で色分けし、残り一面に個人の特異日を表示でき、一年３６５日を表示する永久に使える組み立て万年カレンダーであり、また水平の曜日棒の下に縦に四個日ないし五個日の曜日駒柱四個と三個または八個と六個を吊るし、その曜日棒の上に年駒と月駒を配置した一月（ひとつき）および二月（ふたつき）万年カレンダー。（例えば、特許文献１参照）【０００３】              （２）一方向に隣接して配置された７年分の年暦からなる暦本体と、年号が表示される年号フィールドから構成される年蘭とからなり、各年暦が、いずれも１２ヶ月分の月暦が前記一方向に直交する他方向に隣接して配置されたものであり、前記７年分の年暦における任意の月の７つの月暦において、各月暦の初日の曜日がいずれも異なり、前記年号フィールドに、前記各年暦に対応する年号が表示されている。このため、触れることなく見るだけで、過去や未来の暦がわかり、紙を無駄に消費せず、この結果、森林の保護になる。（例えば、特許文献２参照）【０００４】              しかしながら、上記のように構成された従来の年間万年カレンダーは、仕組みが複雑で煩雑な操作をしなければ内容の変更ができないという不便なことや数年分だけの年暦が一覧に表示されており、それを継続して再利用できないという欠点があった。
【先行技術文献】
【特許文献】
【０００５】
【特許文献１】特開２０１５−７４１７０号公報
【０００６】
【特許文献２】特開２０００−５６６８２号公報
【発明の概要】
【発明が解決しようとしている課題】
【０００７】              本発明は以上のような従来の欠点に鑑み、従来の年間万年カレンダーとは違った形状と構造で構成する年間万年カレンダーを提供することを目的としている。
【課題を解決するための手段】
【０００８】              上記の目的を達成するため、本発明は、カレンダーの構成要素であるコの字型の部材からなるコの字型の枠があり、枠の向きは開いている方を上側にしており、複数個が等間隔で設置されている基盤とカレンダー名、和暦名の文字、年の文字、白地、数字、１月から１２月までの月間カレンダーを表示したシートを単数枚または複数枚作成し、コの字型の枠の開いている方から表示したシートを出し入れして表示する年に対応した表示したシートを一番手前にし、年間カレンダーとして掲示できる年間万年カレンダーである。
【発明の効果】
【０００９】              以上の説明から明らかなように、本発明にあっては、次の効果が得られる。
（１）本発明は、表示する年に対応した各々の表示シートを一番手前にして掲示することにより簡単に年間カレンダーの変更ができるので便利である。
【００１０】              （２）本発明は、一般的な年間のカレンダーの形状と同様なので、利用者がどこに設置しても違和感なく安心して利用できる。
【図面の簡単な説明】
【００１１】
【図１】本発明の２０１６年、平成２８年の年間カレンダーの図である。
【図２】本発明のコの字型の枠が設置された基盤の図である。
【図３】本発明のカレンダー名表示シート、和暦名表示シート、年表示シート、白地シート、数字表示シートの図である。
【図４】本発明の１月の月間カレンダー表示シートと閏年の２月の月間カレンダー表示シートの図である。
【図５】本発明の平年の２月の月間カレンダー表示シートと３月の月間カレンダー表示シートの図である。
【図６】本発明の４月と５月の月間カレンダー表示シートの図である。
【図７】本発明の６月と７月の月間カレンダー表示シートの図である。
【図８】本発明の８月と９月の月間カレンダー表示シートの図である。
【図９】本発明の１０月と１１月の月間カレンダー表示シートの図である。
【図１０】本発明の１２月の月間カレンダー表示シートの図である。
【発明を実施するための形態】
【００１２】以下、本発明の実施形態を図に基づいて説明する。
【実施例】
【００１３】図１は、本発明の２０１６年、平成２８年の年間カレンダーの図である。
図１の本発明の実施の形態にする方法は、次の通り第１から第２６の手順による。
第１は符号１を用意する。
第２は符号１７を符号２に入れる。
第３は符号２２、２５，３２，３９，４６，５３，６０，６７，７４，８１，８８のシートを選択し、符号２２を一番手前にして、符号３の左端枠に入れる。
第４は符号２６、３３、４０、４７、５４、６１、６８、７５、８２、８９のシートを選択し、符号３３を一番手前にして、符号３の左端枠から二番目の枠に入れる。
第５は符号２７、３４、４１、４８、５５、６２、６９、７６、８３、９０のシートを選択し、符号９０を一番手前にして、符号３の左端枠から三番目の枠に入れる。
第６は符号２８、３５、４２、４９、５６、６３、７０、７７、８４、９１のシートを選択し、符号２８を一番手前にして、符号３の左端枠から四番目の枠に入れる。
第７は符号２９、３６、４３、５０、５７、６４、７１、７８、８５、９２のシートを選択し、符号６４を一番手前にして、符号３の左端枠から五番目の枠に入れる。
第８は符号２０のシートを符号３の左端枠から六番目の枠に入れる。
第９は符号１８のシートを符号４の左端枠に入れる。
第１０は符号１９のシートを符号４の左端枠から二番目に入れる。
第１１は符号２３のシートを符号４の左端枠から三番目に入れる。
第１２は符号２４、３０、３７、４４、５１、５８、６５、７２、７９、８６、９３のシートを選択し、符号３７を一番手前にして、符号４の左端枠から四番目の枠に入れる。
第１３は符号３１、３８、４５、５２、５９、６６、７３、８０、８７、９４のシートを選択し、符号８０を一番手前にして、符号３の左端枠から五番目の枠に入れる。
第１４は符号２１のシートを符号４の左端枠から六番目の枠に入れる。
第１５は符号９５、９６、９７、９８、９９、１００、１０１のシートを選択し、符号１００を一番手前にして、符号５に入れる。
第１６は符号１０２、１０３、１０４、１０５、１０６、１０７、１０８、１０９、１１０、１１１、１１２、１１３、１１４、１１５のシートを選択し、符号１０３を一番手前にして、符号６に入れる。
第１７は符号１１６、１１７、１１８、１１９、１２０、１２１、１２２のシートを選択し、符号１１８を一番手前にして、符号７に入れる。
第１８は符号１２３、１２４、１２５、１２６、１２７、１２８、１２９のシートを選択し、符号１２８を一番手前にして、符号８に入れる。
第１９は符号１３０、１３１、１３２、１３３、１３４、１３５，１３６のシートを選択し、符号１３３を一番手前にして、符号９に入れる。
第２０は符号１３７、１３８、１３９、１４０、１４１、１４２、１４３のシートを選択し、符号１４０を一番手前にして、符号１０に入れる。
第２１は符号１４４、１４５，１４６，１４７，１４８，１４９，１５０のシートを選択し、符号１４９を一番手前にして、符号１１に入れる。
第２２は符号１５１、１５２、１５３、１５４、１５５、１５６、１５７のシートを選択し、符号１５２を一番手前にして、符号１２に入れる。
第２３は符号１５８、１５９、１６０、１６１、１６２、１６３、１６４のシートを選択し、符号１６２を一番手前にして、符号１３に入れる。
第２４は符号１６５、１６６、１６７、１６８、１６９、１７０、１７１のシートを選択し、符号１７１を一番手前にして、符号１４に入れる。
第２５は符号１７２、１７３、１７４、１７５、１７６、１７７、１７８のシートを選択し、符号１７４を一番手前にして、符号１５に入れる。
第２６は符号１７９、１８０、１８１、１８２、１８３、１８４、１８５のシートを選択し、符号１８３を一番手前にして、符号１６に入れる。
【産業上の利用可能性】
【００１４】              本発明は、年間万年カレンダーに関する製造、加工、販売をする産業で利用される。
【符号の説明】
【００１５】１        基盤
２        カレンダー名表示シート用のコの字型の枠
３・４    和暦名の文字表示シート、年の文字表示シート、白地シート、数字の１から９          および０表示シート用のコの字型の枠
５〜１６  １月から１２月の月間カレンダー表示シート用のコの字型の枠
１７      カレンダー名表示シート
１８・１９    和暦名の文字表示シート
２０・２１    年の文字表示シート
２２〜２４    白地シート
２５〜３１    数字の１表示シート
３２〜３８    数字の２表示シート
３９〜４５    数字の３表示シート
４６〜５２    数字の４表示シート
５３〜５９    数字の５表示シート
６０〜６６    数字の６表示シート
６７〜７３    数字の７表示シート
７４〜８０    数字の８表示シート
８１〜８７    数字の９表示シート
８８〜９４    数字の０表示シート
９５          月の１日が日曜から始まる１月の月間カレンダー表示シート
９６          月の１日が月曜から始まる１月の月間カレンダー表示シート
９７          月の１日が火曜から始まる１月の月間カレンダー表示シート
９８          月の１日が水曜から始まる１月の月間カレンダー表示シート
９９          月の１日が木曜から始まる１月の月間カレンダー表示シート
１００        月の１日が金曜から始まる１月の月間カレンダー表示シート
１０１        月の１日が土曜から始まる１月の月間カレンダー表示シート
１０２        月の１日が日曜から始まる閏年の２月の月間カレンダー表示シート
１０３        月の１日が月曜から始まる閏年の２月の月間カレンダー表示シート
１０４        月の１日が火曜から始まる閏年の２月の月間カレンダー表示シート
１０５        月の１日が水曜から始まる閏年の２月の月間カレンダー表示シート
１０６        月の１日が木曜から始まる閏年の２月の月間カレンダー表示シート
１０７        月の１日が金曜から始まる閏年の２月の月間カレンダー表示シート
１０８        月の１日が土曜から始まる閏年の２月の月間カレンダー表示シート
１０９        月の１日が日曜から始まる平年の２月の月間カレンダー表示シート
１１０        月の１日が月曜から始まる平年の２月の月間カレンダー表示シート
１１１        月の１日が火曜から始まる平年の２月の月間カレンダー表示シート
１１２        月の１日が水曜から始まる平年の２月の月間カレンダー表示シート
１１３        月の１日が木曜から始まる平年の２月の月間カレンダー表示シート
１１４        月の１日が金曜から始まる平年の２月の月間カレンダー表示シート
１１５        月の１日が土曜から始まる平年の２月の月間カレンダー表示シート
１１６        月の１日が日曜から始まる３月の月間カレンダー表示シート
１１７        月の１日が月曜から始まる３月の月間カレンダー表示シート
１１８        月の１日が火曜から始まる３月の月間カレンダー表示シート
１１９        月の１日が水曜から始まる３月の月間カレンダー表示シート
１２０        月の１日が木曜から始まる３月の月間カレンダー表示シート
１２１        月の１日が金曜から始まる３月の月間カレンダー表示シート
１２２        月の１日が土曜から始まる３月の月間カレンダー表示シート
１２３        月の１日が日曜から始まる４月の月間カレンダー表示シート
１２４        月の１日が月曜から始まる４月の月間カレンダー表示シート
１２５        月の１日が火曜から始まる４月の月間カレンダー表示シート
１２６        月の１日が水曜から始まる４月の月間カレンダー表示シート
１２７        月の１日が木曜から始まる４月の月間カレンダー表示シート
１２８        月の１日が金曜から始まる４月の月間カレンダー表示シート
１２９        月の１日が土曜から始まる４月の月間カレンダー表示シート
１３０        月の１日が日曜から始まる５月の月間カレンダー表示シート
１３１        月の１日が月曜から始まる５月の月間カレンダー表示シート
１３２        月の１日が火曜から始まる５月の月間カレンダー表示シート
１３３        月の１日が水曜から始まる５月の月間カレンダー表示シート
１３４        月の１日が木曜から始まる５月の月間カレンダー表示シート
１３５        月の１日が金曜から始まる５月の月間カレンダー表示シート
１３６        月の１日が土曜から始まる５月の月間カレンダー表示シート
１３７        月の１日が日曜から始まる６月の月間カレンダー表示シート
１３８        月の１日が月曜から始まる６月の月間カレンダー表示シート
１３９        月の１日が火曜から始まる６月の月間カレンダー表示シート
１４０        月の１日が水曜から始まる６月の月間カレンダー表示シート
１４１        月の１日が木曜から始まる６月の月間カレンダー表示シート
１４２        月の１日が金曜から始まる６月の月間カレンダー表示シート
１４３        月の１日が土曜から始まる６月の月間カレンダー表示シート
１４４        月の１日が日曜から始まる７月の月間カレンダー表示シート
１４５        月の１日が月曜から始まる７月の月間カレンダー表示シート
１４６        月の１日が火曜から始まる７月の月間カレンダー表示シート
１４７        月の１日が水曜から始まる７月の月間カレンダー表示シート
１４８        月の１日が木曜から始まる７月の月間カレンダー表示シート
１４９        月の１日が金曜から始まる７月の月間カレンダー表示シート
１５０        月の１日が土曜から始まる７月の月間カレンダー表示シート
１５１        月の１日が日曜から始まる８月の月間カレンダー表示シート
１５２        月の１日が月曜から始まる８月の月間カレンダー表示シート
１５３        月の１日が火曜から始まる８月の月間カレンダー表示シート
１５４        月の１日が水曜から始まる８月の月間カレンダー表示シート
１５５        月の１日が木曜から始まる８月の月間カレンダー表示シート
１５６        月の１日が金曜から始まる８月の月間カレンダー表示シート
１５７        月の１日が土曜から始まる８月の月間カレンダー表示シート
１５８        月の１日が日曜から始まる９月の月間カレンダー表示シート
１５９        月の１日が月曜から始まる９月の月間カレンダー表示シート
１６０        月の１日が火曜から始まる９月の月間カレンダー表示シート
１６１        月の１日が水曜から始まる９月の月間カレンダー表示シート
１６２        月の１日が木曜から始まる９月の月間カレンダー表示シート
１６３        月の１日が金曜から始まる９月の月間カレンダー表示シート
１６４        月の１日が土曜から始まる９月の月間カレンダー表示シート
１６５        月の１日が日曜から始まる１０月の月間カレンダー表示シート
１６６        月の１日が月曜から始まる１０月の月間カレンダー表示シート
１６７        月の１日が火曜から始まる１０月の月間カレンダー表示シート
１６８        月の１日が水曜から始まる１０月の月間カレンダー表示シート
１６９        月の１日が木曜から始まる１０月の月間カレンダー表示シート
１７０        月の１日が金曜から始まる１０月の月間カレンダー表示シート
１７１        月の１日が土曜から始まる１０月の月間カレンダー表示シート
１７２        月の１日が日曜から始まる１１月の月間カレンダー表示シート
１７３        月の１日が月曜から始まる１１月の月間カレンダー表示シート
１７４        月の１日が火曜から始まる１１月の月間カレンダー表示シート
１７５        月の１日が水曜から始まる１１月の月間カレンダー表示シート
１７６        月の１日が木曜から始まる１１月の月間カレンダー表示シート
１７７        月の１日が金曜から始まる１１月の月間カレンダー表示シート
１７８        月の１日が土曜から始まる１１月の月間カレンダー表示シート
１７９        月の１日が日曜から始まる１２月の月間カレンダー表示シート
１８０        月の１日が月曜から始まる１２月の月間カレンダー表示シート
１８１        月の１日が火曜から始まる１２月の月間カレンダー表示シート
１８２        月の１日が水曜から始まる１２月の月間カレンダー表示シート
１８３        月の１日が木曜から始まる１２月の月間カレンダー表示シート
１８４        月の１日が金曜から始まる１２月の月間カレンダー表示シート
１８５        月の１日が土曜から始まる１２月の月間カレンダー表示シート